(57)【要約】【課題】可変焦点レンズを用いたメガネフレーム、及びこのメガネフレームを用いることにより、最終処方値のメガネの屈折特性即ちメガネの処方データを得ることができる検眼システムを提供すること。【解決手段】左右に延びるヘッドフレーム４００と、ヘッドフレーム４００の中央部に設けられた鼻当４０６と、ヘッドフレーム４００の両端部に設けられたテンプル２０と、ヘッドフレーム４００の左右の部分に左右動調整可能にそれぞれ取り付けられたレンズ取付枠４０２Ｌ，４０２Ｒを有するメガネフレーム３００ａにおいて、各レンズ取付枠４０２Ｌ，４０２Ｒには、一対の非球面レンズ４１１，４１２を相対的に移動させることにより焦点が調整可能に設けられた可変焦点レンズ４１０が取り付けられているメガネフレーム。【選択図】　　　　図３
2004000657.tif 000002
【特許請求の範囲】
【請求項１】
左右に延びるヘッドフレームと、前記ヘッドフレームの中央部に設けられた鼻当と、前記ヘッドフレームの両端部に設けられたテンプルと、前記ヘッドフレームの左右の部分にそれぞれ取り付けられたレンズ取付枠を有する検査用メガネフレームにおいて、
前記各レンズ取付枠には一対の非球面レンズを相対的に移動させることにより焦点が調整可能に設けられた可変焦点レンズが取り付けられていることを特徴とするメガネフレーム。
【請求項２】
請求項１に記載のメガネフレームにおいて、前記レンズ取付枠は前記ヘッドフレームに左右動調整可能に取り付けられていることを特徴とするメガネフレーム。
【請求項３】
請求項１又は２に記載のメガネフレームにおいて、前記可変焦点レンズは前記一対の非球面レンズを上下に相対的に移動させることにより焦点が調整可能に設けられていることを特徴とするメガネフレーム。
【請求項４】
請求項１〜３のいずれか一つにに記載のメガネフレームにおいて、前記可変焦点レンズはアルバレッツレンズであることを特徴とするメガネフレーム。
【請求項５】
請求項１〜４のいずれか一つに記載のメガネフレームにおいて、前記各レンズ取付枠には前記可変焦点レンズと組み合わせて用いられ且つ回転駆動可能に設けられたシリンダレンズが取り付けられていることを特徴とするメガネフレーム。
【請求項６】
請求項５に記載のメガネフレームにおいて、前記シリンダレンズはバリアブルクロスシリンダレンズであることを特徴とするメガネフレーム。
【請求項７】
請求項５又は６に記載のメガネフレームにおいて、前記一対の非球面レンズは第１のモータにより相対的に駆動可能に設けられ、前記シリンダレンズは第２のモータにより回転駆動可能に設けられていることを特徴とするメガネフレーム。
【請求項８】
左右に延びるヘッドフレームと、前記ヘッドフレームの中央部に設けられた鼻当と、前記ヘッドフレームの両端部に設けられたテンプルと、前記ヘッドフレームの左右の部分に左右動調整可能にそれぞれ取り付けられたレンズ取付枠と、前記各レンズ取付枠に取り付けられ且つ一対の非球面レンズを相対的に移動させることにより焦点が調整可能に設けられた可変焦点レンズと、前記各レンズ取付枠に取り付けられ且つ前記可変焦点レンズと組み合わせて用いられ且つ回転駆動可能に設けられたシリンダレンズと、前記一対の非球面レンズを駆動する第１のモータと、前記シリンダレンズを駆動する第２のモータを備える検眼システムであって、
レフラクトメータからの測定データ又はレンズメータからのメガネのデータを受けて前記各モータを駆動制御する演算制御回路が設けられていることを特徴とする検眼システム。
【請求項９】
左右に延びるヘッドフレームと、前記ヘッドフレームの中央部に設けられた鼻当と、前記ヘッドフレームの両端部に設けられたテンプルと、前記ヘッドフレームの左右の部分に左右動調整可能にそれぞれ取り付けられたレンズ取付枠と、前記各レンズ取付枠に取り付けられ且つ一対の非球面レンズを相対的に移動させることにより焦点が調整可能に設けられた可変焦点レンズと、前記各レンズ取付枠に取り付けられ且つ前記可変焦点レンズと組み合わせて用いられ且つ回転駆動可能に設けられたシリンダレンズと、前記一対の非球面レンズを駆動する第１のモータと、前記シリンダレンズを駆動する第２のモータを備える検眼システムであって、
レフラクトメータからの測定データ又はレンズメータからのメガネのデータを設定する設定手段と、前記設定手段の設定に基づいて作動制御されて前記各モータを作動制御する演算制御回路が設けられていることを特徴とする検眼システム。
【発明の詳細な説明】
【０００１】
【産業上の利用分野】
この発明は、可変焦点レンズを用いたメガネフレーム及びこれを用いた検眼システムに関するものである。
【０００２】
【従来の技術】
一般に、他覚式のレフラクトメータやビジョンテスター等の自覚式検眼装置を用いて、被検眼の遠視，近視，乱視等の屈折特性を測定し、この屈折特性からメガネのＳ（円柱度数），Ｃ（円柱度数），Ａ（円柱軸の軸角度）等の処方値を作るようにしている。この様にして得られる処方値は、遠視，近視，乱視等を完全に矯正するためのものであるため、完全処方値と言うことができる。
【０００３】
しかしながら、今までは遠視，近視，乱視等のために良く見えなかった被検者が完全処方値に基づいてメガネを作成した場合、被検者は目眩や頭痛を感じたり、目の疲労を感じたりすることもある。
【０００４】
例えば、視力０．２の被検者がメガネの完全処方値による視力が１．２の場合、視力を１．２とするメガネの完全処方値はディオプターが−４．５である。しかし、視力０．２から１．２にいきなり矯正した場合には、矯正幅が大きくきつくなるため、被検者は目眩や頭痛を感じたり、目の疲労を感じたりすることもある。
【０００５】
このため従来は、実際に作成するメガネのＳ，Ｃ，Ａの値を測定により得られた完全処方値よりも低くした眼鏡処方値とすることにより、目眩や頭痛を感じたり、目の疲労を感じたりするのをできるだけ抑制するようにしている。ここで、上述した視力０．２の被検者の完全処方値による視力が１．２の場合には、例えば、最終的な矯正視力を完全処方値による視力１．２よりも低い０．８とすると良い。
【０００６】
【発明が解決しようとする課題】
ところで、この様な眼鏡処方値を作成する場合、レフラクトメータやビジョンテスター等により完全処方値を作成した後、この完全処方値よりも低くした処方値に基づいてレンズ交換法により装用テストを行って、最終的な確認を行うようにしている。
【０００７】
このレンズ交換法では、適当なディオプターの基準レンズ（交換レンズの一つ）をトライアルフレーム等の検査用メガネフレームに装着すると共に、この基準レンズのディオプターを少しずつ増減するための交換レンズを多数用意しておいて、この交換レンズをトライアルフレームに順次装着し、被検者による見え方を聞きながら最終的に見やすい状態にする。例えば、視力が０．２で完全処方値による矯正視力が１．２の被検者の場合において、最終的な視力を得るためのメガネを処方する場合、トライアルフレームに例えば−４．５Ｄの基準レンズをセットすると共に、−０．２５Ｄの交換レンズを複数用意しておいて、このレンズをトライアルフレームに順次装着し、被検者による見え方を聞きながら最終的に見やすい状態にする。そして、この見えやすい状態でトライアルフレームを数十分装用したときに違和感を感じなければ、このときの基準レンズと交換レンズによるレンズの合計ディオプターが眼鏡処方値となる。
【０００８】
この眼鏡処方値は、通常メモをとっておいて、このメモの処方値をキーボードからパソコンに入力する等の処理をしていた。このため、従来はトライアルフレームによる最終的な眼鏡処方値の入力に手間がかかるものであった。
【０００９】
そこで、この発明は、可変焦点レンズを用いたメガネフレーム、及びこのメガネフレームを用いることにより、最終処方値のメガネの屈折特性即ちメガネの処方データを得ることができる検眼システムを提供することを目的とするものである。
【００１０】
【課題を解決するための手段】
この目的を達成するため、請求項１の発明は、左右に延びるヘッドフレームと、前記ヘッドフレームの中央部に設けられた鼻当と、前記ヘッドフレームの両端部に設けられたテンプルと、前記ヘッドフレームの左右の部分にそれぞれ取り付けられたレンズ取付枠を有する検査用メガネフレームにおいて、前記各レンズ取付枠には一対の非球面レンズを相対的に移動させることにより焦点が調整可能に設けられた可変焦点レンズが取り付けられているメガネフレームとしたことを特徴とする。
【００１１】
また、請求項２の発明は、請求項１に記載のメガネフレームにおいて、前記レンズ取付枠は前記ヘッドフレームに左右動調整可能に取り付けられていることを特徴とする。
更に、請求項３の発明は、請求項１又は２に記載のメガネフレームにおいて、前記可変焦点レンズは前記一対の非球面レンズを上下に相対的に移動させることにより焦点が調整可能に設けられていることを特徴とする。
【００１２】
更に、請求項４の発明は、請求項１〜３のいずれか一つに記載のメガネフレームにおいて、前記可変焦点レンズはアルバレッツレンズであることを特徴とする。
【００１３】
また、請求項５の発明は、請求項１〜４のいずれか一つに記載のメガネフレームにおいて、前記各レンズ取付枠には前記可変焦点レンズと組み合わせて用いられ且つ回転駆動可能に設けられたシリンダレンズが取り付けられていることを特徴とする。
【００１４】
また、請求項６の発明は、請求項５に記載のメガネフレームにおいて、前記シリンダレンズはバリアブルクロスシリンダレンズであることを特徴とする。
【００１５】
また、請求項７の発明は、請求項５又は６に記載のメガネフレームにおいて、前記一対の非球面レンズは第１のモータにより相対的に駆動可能に設けられ、前記シリンダレンズは第２のモータにより回転駆動可能に設けられていることを特徴とする。
【００１６】
また、請求項８の発明は、左右に延びるヘッドフレームと、前記ヘッドフレームの中央部に設けられた鼻当と、前記ヘッドフレームの両端部に設けられたテンプルと、前記ヘッドフレームの左右の部分に左右動調整可能にそれぞれ取り付けられたレンズ取付枠と、前記各レンズ取付枠に取り付けられ且つ一対の非球面レンズを相対的に移動させることにより焦点が調整可能に設けられた可変焦点レンズと、前記各レンズ取付枠に取り付けられ且つ前記可変焦点レンズと組み合わせて用いられ且つ回転駆動可能に設けられたシリンダレンズと、前記一対の非球面レンズを駆動する第１のモータと、前記シリンダレンズを駆動する第２のモータを備える検眼システムであって、レフラクトメータからの測定データ又はレンズメータからのメガネのデータを受けて前記各モータを駆動制御する演算制御回路が設けられている検眼システムとしたことを特徴とする。
【００１７】
また、請求項９の発明は、左右に延びるヘッドフレームと、前記ヘッドフレームの中央部に設けられた鼻当と、前記ヘッドフレームの両端部に設けられたテンプルと、前記ヘッドフレームの左右の部分に左右動調整可能にそれぞれ取り付けられたレンズ取付枠と、前記各レンズ取付枠に取り付けられ且つ一対の非球面レンズを相対的に移動させることにより焦点が調整可能に設けられた可変焦点レンズと、前記各レンズ取付枠に取り付けられ且つ前記可変焦点レンズと組み合わせて用いられ且つ回転駆動可能に設けられたシリンダレンズと、前記一対の非球面レンズを駆動する第１のモータと、前記シリンダレンズを駆動する第２のモータを備える検眼システムであって、レフラクトメータからの測定データ又はレンズメータからのメガネのデータを設定する設定手段と、前記設定手段の設定に基づいて作動制御されて前記各モータを作動制御する演算制御回路が設けられている検眼システムとしたことを特徴とする。
【００１８】
【発明の実施の形態】
以下、この発明の実施の形態を図面に基づいて説明する。
［構成］
図１〜図７は、この発明の検査用メガネフレーム３００ａを示すものである。この実施例では、図１に示した検査用メガネフレーム３００ａは図２に示したように左右に延びるヘッドフレーム４００を有する。このヘッドフレーム４００には左右に延び且つ下方に開口するガイド溝４０１が形成され、このガイド溝４０１の左右両側にはレンズ取付枠４０２Ｒ，４０２Ｌの突部４０３Ｒ，４０３Ｌが左右動自在に配設されている。このレンズ取付枠４０２Ｒ，４０２Ｌにはテンプル２０，２０が取り付けられている。
【００１９】
また、ヘッドフレーム４００の左右の部分には左右に延びる送りネジ４０４Ｒ，４０４Ｌが回転自在に保持されている。この送りネジ４０４Ｒ，４０４Ｌは、突部４０３Ｒ，４０３Ｌに螺着されていて、送りネジ４０４Ｒ，４０４Ｌと一体の操作ツマミ４０５Ｒ，４０５Ｌを回転操作することにより左右に移動調整されるようになっている。また、ヘッドフレーム４００の左右方向の中央部には鼻当４０６が取り付けられている。このレンズ取付枠４０２Ｒ，４０２Ｌの内部の光学系の構成は同じであるので、レンズ取付枠４０２Ｒについてのみ説明し、レンズ取付枠４０２Ｌについてはレンズ取付枠４０２Ｒに付した符号と同じ符号を付して説明を省略する。更に、レンズ取付枠４０２Ｒには、図３に示したように、第１のレンズ取付部４０２ａと筒状の第２のレンズ取付部４０２ｂが設けられている。
＜第１のレンズ取付部４０２ａ＞
この第１のレンズ取付部４０２ａは左右に側壁部４０７ａ，４０７ｂを有し、この側壁部４０７ａには図４，図５に示したように上下に延びるガイド溝４０８ａ，４０９ａが形成され、側壁部４０７ｂにはガイド溝４０８ａ，４０９ａに対応して上下に延びるガイド溝４０８ｂ，４０９ｂが形成されている。
【００２０】
この側壁部４０７ａ，４０７ｂ間には、アルバレッツレンズと呼ばれる可変焦点レンズ４１０が配設されている。この可変焦点レンズ４１０は、一対の非球面レンズ４１１，４１２を有し、非球面レンズ４１１，４１２を相対的に上下動させることにより焦点を変えることが出来るようになっている。
【００２１】
また、ガイド溝４０８ａ，４０８ｂには、第１のモータである超音波リニアモータ（超音波モータ）４１３，４１４がそれぞれ配設されている。
【００２２】
超音波リニアモータ４１３は、多数の電極（図示せず）と圧電素子を交互に接続して直線状に形成した圧電素子アレイ（振動発生部材）４１５と、この圧電素子アレイ４１５とは反対側に多数の歯（図示せず）が長手方向に配列され且つ圧電素子アレイ４１５により振動駆動される直線上の振動体（固定子）４１６と、振動体４１６の多数の歯に摩擦係合する可動子４１７を有する。そして、圧電素子アレイ４１５は振動体４１６に貼り付けられ、ガイド溝４０８ａ，４０８ｂの可動子４１７，４１７は非球面レンズ４１１の両側部に固定されている。
【００２３】
この構成においては、圧電素子アレイ４１５の各電極に印加する電圧を制御することにより、固定子４１６の歯（図示せず）側に発生させる屈曲定在波振動（進行波）の位相を変えることができる。この位相を変えることで、固定子４１６の歯（図示せず）が可動子４１７を上方又は下方に駆動する。この様な超音波リニアモータ４１３の構造には周知の超音波モータの構造を採用できる。
【００２４】
同様に超音波リニアモータ４１４は、多数の電極（図示せず）と圧電素子を交互に接続して直線状に形成した圧電素子アレイ（振動発生部材）４１８と、この圧電素子アレイ４１８とは反対側に多数の歯（図示せず）が長手方向に配列され且つ圧電素子アレイ４１８により振動駆動される直線上の振動体（固定子）４１９と、振動体４１９の多数の歯に摩擦係合する可動子４２０を有する。そして、圧電素子アレイ４１８は振動体４１９に貼り付けられ、ガイド溝４０９ａ，４０９ｂの可動子４２０，４２０は非球面レンズ４１２の両側部に固定されている。
【００２５】
この構成においては、圧電素子アレイ４１８の各電極に印加する電圧を制御することにより、固定子４１９の歯（図示せず）側に発生させる屈曲定在波振動（進行波）の位相を変えることができる。この位相を変えることで、固定子４１９の歯（図示せず）が可動子４２０を上方又は下方に駆動する。この様な超音波リニアモータ４１４の構造にも周知の超音波モータの構造を採用できる。
＜第２のレンズ取付部４０２ｂ＞
この第２のレンズ取付部４０２ｂは円筒状に形成されていて、第２のレンズ取付部４０２ｂの内周面には一対の環状溝４２１，４２２が軸線方向に間隔をおいて形成されている。また、第２のレンズ取付部４０２ｂ内にはＶｃｃレンズ（バリアブルクロスシリンダレンズ）４２３が配設されている。
【００２６】
このＶｃｃレンズ４２３は一対のシリンダレンズ４２４，４２５を有し、このシリンダレンズ４２４，４２５は環状溝４２１，４２２内に配設した第２のモータである超音波モータ４２６，４２７により回転駆動されるようになっている。
【００２７】
超音波モータ４２６は、多数の電極（図示せず）と圧電素子を交互に接続して環状に形成した圧電素子アレイ（振動発生部材）４２８と、この圧電素子アレイ４２８とは反対側に多数の歯（図示せず）が周方向に配列され且つ圧電素子アレイ４２８により振動駆動される環状の振動体（固定子）４２９と、振動体４２９の多数の歯に摩擦係合する環状の可動子４３０を有する。そして、圧電素子アレイ４２８は振動体４２９の外周面に貼り付けられ、環状溝４２１の可動子４３０内にはシリンダレンズ４２４が固定されている。
【００２８】
この構成においては、圧電素子アレイ４２８の各電極に印加する電圧を制御することにより、振動体４２９の歯（図示せず）側に発生させる進行波の位相を変えることができる。この位相を変えることで、振動体４２９の歯（図示せず）が可動子４３０を正回転又は逆回転駆動する。この様な超音波モータ４２６の構造には周知の超音波モータの構造を採用できる。
【００２９】
同様に超音波モータ４２７は、多数の電極（図示せず）と圧電素子を交互に接続して環状に形成した圧電素子アレイ（振動発生部材）４３１と、この圧電素子アレイ４３１とは反対側に多数の歯（図示せず）が周方向に配列され且つ圧電素子アレイ４３１により振動駆動される環状の振動体（固定子）４３２と、振動体４３２の多数の歯に摩擦係合する環状の可動子４３３を有する。そして、圧電素子アレイ４３１は振動体４３２の外周面に貼り付けられ、環状溝４２２の可動子４３３内にはシリンダレンズ４２５が固定されている。
【００３０】
この構成においては、圧電素子アレイ４３１の各電極に印加する電圧を制御することにより、振動体４３２の歯（図示せず）側に発生させる進行波の位相を変えることができる。この位相を変えることで、振動体４３２の歯（図示せず）が可動子４３３を正回転又は逆回転駆動する。この様な超音波モータ４２７の構造には周知の超音波モータの構造を採用できる。
＜制御回路＞
上述したレンズ取付枠４０２Ｒ，４０２Ｌ内の圧電素子アレイ４１５，４１８，４２８，４３１の圧電素子は図示しない通信手段を介して図８に示した演算制御回路４４０で駆動制御されるようになっている。この通信手段としては無線でも有線でもよい。また、演算制御回路４４０には、球面度数の設定や変更または円柱軸の軸角度等を設定操作するための操作手段又はデータ入力手段等の設定手段が接続されている。この設定手段としては、キーボードやマウスあるいはデータ設定のためのボタン（スイッチ）を用いることができる。また、他のレフラクトメータやレンズメータ等からの眼鏡の処方データを取り込む手段も設定手段として用いることもできる。
［作用］
次に、この様な構成の作用を説明する。
【００３１】
この様な構成の検査用メガネフレーム３００ａを使用しての被検者３０２のメガネの最終的な処方データを得るには、被検者３０２に図１に示したように検査用メガネフレーム３００ａを装用させて、被検者３０２に可変焦点レンズ４１０（アルバレッツレンズ）及びＶｃｃレンズ４２３を介して視力表や乱視表を視認させながら、上述した可変焦点レンズ４１０（アルバレッツレンズ）やＶｃｃレンズ４２３の操作をし、視力表や乱視表の見え方を確認させる。
【００３２】
この際、被検者３０２にレフラクトメータからの被検者の測定データがある場合や、レンズメータによる被検者のメガネのデータがある場合には、これらのデータを通信手段を介して演算制御回路４４０に取り込んで、このデータを基に圧電素子アレイ４１５，４１８，４２８，４３１を演算制御回路４４０により以下のように作動制御させる。
（ｉ）球面度数の可変操作
この可変焦点レンズ４１０（アルバレッツレンズ）の操作による球面度数の可変操作は、圧電素子アレイ４１５，４１８の作動制御により行うことができる。
【００３３】
この制御において演算制御回路４４０は、圧電素子アレイ４１５，４１８の各電極に印加する電圧を制御することにより、振動体４１６の歯（図示せず）側及び振動体４１９の歯（図示せず）側を屈曲定在波振動させて、振動体４１６の歯（図示せず）側及び振動体４１９の歯（図示せず）側に長手方向の進行波を生じさせる。この振動体４１６の歯（図示せず）側の進行波により可動子４１７は上方又は下方に駆動され、振動体４１９の歯（図示せず）側の進行波により可動子４２０は上方又は下方に駆動される。
【００３４】
この際、演算制御回路４４０は、振動体４１６の歯（図示せず）側及び振動体４１９の歯（図示せず）側に発生する進行波の向きは逆向きとなるように制御されて、可動子４１７と４２０は互いに反対方向に駆動（移動）制御される。そして、この可動子４１７と４２０の互いに反対方向への上下移動により、可動子４１７と４２０に保持された非球面レンズ４１１，４１２が互いに反対方向に上下動させられて、非球面レンズ４１１，４１２による焦点（球面屈折度数）が変更させられることになる。この変更は、レフラクトメータからの被検者の測定データや、レンズメータによる被検者のメガネのデータに基づいて行われる。この様な焦点の変更により、被検者の視力表の見え方を確認させる。
【００３５】
尚、この様なレフラクトメータからの被検者の測定データや、レンズメータによる被検者のメガネのデータがない場合には、最初からキーボードやマウスあるいはデータ設定のためのボタン（スイッチ）等の設定手段を用いて、演算制御回路４４０により圧電素子アレイ４１５，４１８を作動制御させ、非球面レンズ４１１，４１２を互いに反対方向に上下動させることにより、非球面レンズ４１１，４１２による焦点を変更（球面屈折度数を０．２５Ｄづつ変更）させて、メガネの処方データを得るようにする。
【００３６】
そして、この様な処方データに基づいて得られた球面度数での見え方を更に変更したい場合や、見え方に不具合がある場合、キーボードやマウスあるいはデータ設定のためのボタン（スイッチ）等の設定手段を用いて、演算制御回路４４０により圧電素子アレイ４１５，４１８を作動制御させ、非球面レンズ４１１，４１２を互いに反対方向に上下動させることにより、非球面レンズ４１１，４１２による焦点（球面屈折度数）を変更させ、被検者３０２による視力表の見え方が良くなるようにさせる。この様な変更操作は演算制御回路４４０により行われるので、この変更に伴うデータも演算制御回路４４０により得られてメガネの処方データとできる。
（ｉｉ）円柱度数の設定
また、被検者３０２の被検眼に乱視がある場合には、被検者３０２に可変焦点レンズ４１０（アルバレッツレンズ）及びＶｃｃレンズ４２３を介して乱視表を視認させると共に、圧電素子アレイ４２８，４３１を作動制御して、Ｖｃｃレンズ４２３のシリンダレンズ４２４，４２５を相対的に回転制御することにより、Ｖｃｃレンズ４２３の円柱度数を変更操作して、乱視表の見え方を確認させる。この円柱度数の変更制御は、レフラクトメータからの被検者の測定データや、レンズメータによる被検者のメガネのデータに基づいて、以下の様に行われる。
【００３７】
この制御において演算制御回路４４０は、圧電素子アレイ４２８，４３１の各電極に印加する電圧を制御することにより、振動体４２９，４３２の歯（図示せず）側に発生させる進行波の位相を変えることができる。
【００３８】
この位相を変えることで、振動体４２９，４３２の歯（図示せず）が可動子４３０，４３３を正回転又は逆回転駆動して、Ｖｃｃレンズ４２３のシリンダレンズ４２４が可動子４３０と一体に正回転又は逆回転し、シリンダレンズ４２５が可動子４３３と一体に正回転又は逆回転させられる。
【００３９】
従って、演算制御回路４４０は、レフラクトメータからの被検者の測定データや、レンズメータによる被検者のメガネのデータに基づいて、振動体４２９，４３２の歯（図示せず）側に発生させる進行波の位相を逆にして、振動体４２９，４３２の歯（図示せず）が可動子４３０，４３３を互いに反対方向に回転駆動することにより、シリンダレンズ４２４，４２５を互いに反対方向に回転させて、円柱度数を変更させる。
【００４０】
そして、この様な処方データに基づいて得られた円柱度数での見え方を更に変更したい場合や、見え方に不具合がある場合、キーボードやマウスあるいはデータ設定のためのボタン（スイッチ）等の設定手段を用いて、演算制御回路４４０により圧電素子アレイ４２８，４３１を作動制御させ、シリンダレンズ４２４，４２５を互いに逆方向に相対回転させることにより、シリンダレンズ４２４，４２５を用いたＶｃｃレンズ４２３の円柱度数を変更（例えば０．２５Ｄづつ変更）させ、被検者３０２による乱視表の見え方が良くなるようにさせる。
【００４１】
尚、この様なレフラクトメータからの被検者の測定データや、レンズメータによる被検者のメガネのデータがない場合には、最初からキーボードやマウスあるいはデータ設定のためのボタン（スイッチ）等の設定手段を用いて、演算制御回路４４０により圧電素子アレイ４２８，４３１を作動制御させ、シリンダレンズ４２４，４２５を互いに逆方向に回転させることにより、シリンダレンズ４２４，４２５を用いたＶｃｃレンズ４２３の円柱度数を変更（例えば０．２５Ｄづつ変更）して、被検者３０２による乱視表の見え方が良くなるようにさせる。
【００４２】
この様な円柱度数の変更操作に際して演算制御回路４４０は、可変焦点レンズ４１０（アルバレッツレンズ）を（ｉ）の様に駆動操作して、円柱度数の変化に伴う球面度数の変化を相殺する。
【００４３】
この様な変更操作は演算制御回路４４０により行われるので、この変更に伴うデータも演算制御回路４４０により得られてメガネの処方データとできる。
（ｉｉｉ）円柱軸の設定
また、被検者３０２の被検眼に乱視がある場合には、被検者３０２に可変焦点レンズ４１０（アルバレッツレンズ）及びＶｃｃレンズ４２３を介して乱視表を視認させると共に、圧電素子アレイ４２８，４３１を作動制御して、Ｖｃｃレンズ４２３を回動制御することにより、Ｖｃｃレンズ４２３の円柱軸の向きを操作して、乱視表の見え方を確認させる。この円柱軸の向きの変更操作は、従来の乱視検査法と同様な操作により行う。この円柱軸の向きの変更操作は、レフラクトメータからの被検者の測定データや、レンズメータによる被検者のメガネのデータに基づいて、以下の様に行われる。
【００４４】
この制御において演算制御回路４４０は、上述した様に圧電素子アレイ４２８，４３１の各電極に印加する電圧を制御することにより、振動体４２９，４３２の歯（図示せず）側に発生させる進行波の位相を変えることができる。この位相を変えることで、振動体４２９，４３２の歯（図示せず）が可動子４３０，４３３を正回転又は逆回転駆動して、Ｖｃｃレンズ４２３のシリンダレンズ４２４が可動子４３０と一体に正回転又は逆回転し、シリンダレンズ４２５が可動子４３３と一体に正回転又は逆回転させられる。
【００４５】
従って、演算制御回路４４０は、レフラクトメータからの被検者の測定データや、レンズメータによる被検者のメガネのデータに基づいて、振動体４２９，４３２の歯（図示せず）側に発生させる進行波の位相を同期させると共に、レフラクトメータからの被検者の測定データや、レンズメータによる被検者のメガネのデータに等に基づいて、振動体４２９，４３２の歯（図示せず）が可動子４３０，４３３を同方向に同期して回転駆動することにより、シリンダレンズ４２４，４２５を同方向に一体的に回転させ、円柱軸の向きを変える。
【００４６】
そして、この様な処方データに基づいて得られた円柱軸の向きでの見え方を更に変更したい場合や、見え方に不具合がある場合、キーボードやマウスあるいはデータ設定のためのボタン（スイッチ）等の設定手段を用いて、演算制御回路４４０により圧電素子アレイ４２８，４３１を作動制御させ、シリンダレンズ４２４，４２５を同期回転させることにより、シリンダレンズ４２４，４２５の円柱軸の向きを変更させ、被検者３０２による乱視表の見え方が良くなるようにさせる。
【００４７】
尚、この様なレフラクトメータからの被検者の測定データや、レンズメータによる被検者のメガネのデータがない場合には、最初からキーボードやマウスあるいはデータ設定のためのボタン（スイッチ）等の設定手段を用いて、演算制御回路４４０により圧電素子アレイ４２８，４３１を作動制御させ、シリンダレンズ４２４，４２５を回転させることにより、被検者３０２による乱視表の見え方が良くなるようにさせる。
【００４８】
この様な円柱軸の向きの変更操作は演算制御回路４４０により行われるので、この変更に伴うデータも演算制御回路４４０により得られてメガネの処方データとできる。
【００４９】
尚、上述した演算制御回路４４０による制御は、レフラクトメータからの被検者の測定データや、レンズメータによる被検者のメガネのデータに基づいて行うようにしたが、自覚式検眼装置からの完全矯正値のデータに基づいて行うようにすることもできる。
【００５０】
また、上述した実施例では、可変焦点レンズ４１０の一対の非球面レンズ４１１，４１２を超音波リニアモータ（超音波モータ）４１３，４１４により駆動し、Ｖｃｃレンズ４２３のシリンダレンズ４２４，４２５を超音波モータ４２６，４２７で駆動するようにしたが、必ずしもこれに限定されるものではない。通常のピニオン等を用いた歯車動力伝達機構を用いて、パルスモータの動力を非球面レンズ４１１，４１２やシリンダレンズ４２４，４２５等に伝達して、非球面レンズ４１１，４１２やシリンダレンズ４２４，４２５等を上述したように駆動制御してもよい。
【００５１】
【発明の効果】
この発明のメガネフレームは、以上説明したように構成したので、焦点を変えることができる。また、この発明の検眼システムは、このメガネフレームを用いることにより、最終処方値のメガネの屈折特性即ちメガネの処方データを得ることができる。
【図面の簡単な説明】
【図１】この発明の検査用メガネフレームの例を示す側面図である。
【図２】図１の検査用メガネフレーム正面図である。
【図３】図２のレンズ取付部のＫ−Ｋ線に沿う断面図である。
【図４】図３の可変焦点レンズの部分のＬ−Ｌ線に沿う横断面図である。
【図５】図３の可変焦点レンズのＭ−Ｍ線に沿う縦断面図である。
【図６】図３のＶｃｃレンズの駆動系の説明図である。
【図７】図３の可変焦点レンズとＶｃｃレンズの説明のための斜視図である。
【図８】図１〜７の検査用メガネフレームの制御回路図である。
【符号の説明】
４２３…Ｖｃｃレンズ（バリアブルクロスシリンダレンズ）
２０…テンプル
３００ａ…メガネフレーム
４００…ヘッドフレーム
４０２Ｌ，４０２Ｒ…レンズ取付枠
４０６…鼻当
４１０…可変焦点レンズ（アルバレッツレンズ）
４１１，４１２…非球面レンズ
４２４，４２５…シリンダレンズ
４１３，４１４…超音波リニアモータ（第１のモータ）
４２６，４２７…超音波モータ（第２のモータ）
４４０…演算制御回路
【図１】
2004000657.tif 000003
【図２】
2004000657.tif 000004
【図３】
2004000657.tif 000005
【図４】
2004000657.tif 000006
【図５】
2004000657.tif 000007
【図６】
2004000657.tif 000008
【図７】
2004000657.tif 000009
【図８】
2004000657.tif 000010